【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
結腸を連続的に洗浄するための装置であって、
（ａ）肛門管開口内に挿入するために構成され、かつ肛門管開口から離れている、洗浄される結腸セグメントに流体を供給するための流体投入管と、
（ｂ）液体および排泄物を前記結腸セグメントから除去することのできる物質排出管と、
（ｃ）連続的に洗浄しながら、洗浄される前記結腸セグメントが前記液体および前記排泄物の混合物でほとんど充満する状態を確立かつ維持するように構成された制御器と、
を備え、
前記流体投入管は、前記物質排出管によって結腸セグメントからの液体および排泄物の除去を同時に可能にしながら結腸セグメントに流体を供給するように構成される、装置。
【請求項２】
前記物質排出管内で逆方向の流れを与えるように構成されたポンプをさらに含む、請求項１に記載の装置。
【請求項３】
前記制御器は、前記結腸セグメント内部の圧力変化が周囲圧力より０．０６Ｂａｒ高い圧力を超えないように、投入流量および排出流量の少なくとも一方を制御するべくプログラムされる、請求項１〜２のいずれかに記載の装置。
【請求項４】
前記制御器は、前記結腸セグメント内部および前記装置の遠位端の近傍における圧力変化が周囲圧力から０．２０Ｂａｒ低い圧力より降下しないように、投入流量および排出流量の少なくとも一方を制御するべくプログラムされる、請求項１〜３のいずれかに記載の装置。
【請求項５】
前記制御器は、前記結腸セグメント内部および前記装置の遠位端の近傍における圧力が３０ｍｂａｒ〜７６ｍｂａｒの範囲内に維持されるように、投入流量および排出流量の少なくとも一方を制御するべくプログラムされる、請求項１〜４のいずれかに記載の装置。
【請求項６】
前記装置は、前記結腸内を毎分少なくとも１０ｃｍ前進しながら前記結腸セグメントから糞便の少なくとも９０％を洗浄する、請求項１〜５のいずれかに記載の装置。
【請求項７】
前記制御器は、前記装置の遠位端を前記混合物内に完全に潜没させるために前記結腸セグメント内の液体充填レベルを維持するようにプログラムされる、請求項１〜６のいずれかに記載の装置。
【請求項８】
前記洗浄は、前記装置に対して少なくとも５ｃｍ遠位の糞便を除去することを含む、請求項１〜７のいずれかに記載の装置。
【請求項９】
前記制御器は、前記流体投入管を介する液体の供給量、および前記排出管を介する排泄物の流量の少なくとも一方を制御するように構成され、前記供給量および前記流量は４００ｃｃ／分と２０００ｃｃ／分との間の範囲からなる、請求項１〜８のいずれかに記載の装置。
【請求項１０】
前記装置はさらに、前記出口管に連結されたフィルタを備え、前記出口管への開口は前記フィルタの開口より大きい、請求項１〜９のいずれかに記載の装置。
【請求項１１】
前記フィルタは前記装置の運動方向と実質的に平行な複数の開口を含み、前記結腸内部の前記装置の運動は、前記開口に捕捉された糞便を脱落させる、請求項１０に記載の装置。
【請求項１２】
前記長軸に実質的に垂直な前記開口の寸法が少なくとも３ｍｍである、請求項１０に記載の装置。
【請求項１３】
前記装置はさらに、前記混合物を撹拌するための少なくとも１つの撹拌器を含み、前記撹拌器は、前記結腸の壁から排泄物を脱落させること、および比較的大きい排泄物を比較的小さい排泄物に分解することの少なくとも一方にとって充分な量のエネルギーを伝達し、前記少なくとも１つの撹拌器は、前記装置の外側に位置されるか、または前記流体投入管と前記物質排出管のうちの少なくとも１つに位置されるかの１つである、請求項１〜１２のいずれかに記載の装置。
【請求項１４】
前記撹拌器は、前記装置の相対的に前方の前記混合物の撹拌、および前記装置の周囲の前記混合物の撹拌の少なくとも１つを引き起こすように構成される、請求項１３に記載の装置。
【請求項１５】
前記撹拌器は、前記混合物の流動および運動の少なくとも１つを引き起こすように構成され、前記流動および運動の少なくとも１つは、衝撃波および脈動力によって引き起こされる運動の少なくとも１つである、請求項１３に記載の装置。
【請求項１６】
前記撹拌器は、前記投入管内の液体の送達および前記投入管内のガスの送達を交互に行なう流体流動パルセータを含み、前記ガスの圧力は前記液体の圧力より少なくとも０．２ＡＴＭ高い、請求項１３に記載の装置。
【請求項１７】
少なくとも１つの撹拌器は、壁の表面積の少なくとも５０％から排泄物を脱落させること、および比較的大きい排泄物の体積の少なくとも５０％を分解することの少なくとも一方にとって充分な量のエネルギーを伝達するように構成される、請求項１３に記載の装置。
【請求項１８】
前記装置はさらに、前記排出管内に移行しかつそこを通過する前記排泄物の大きさを低減するためのサイズ縮小器を含む、請求項１〜１７のいずれかに記載の装置。
【請求項１９】
前記物質排出管はさらに、
（ａ）前記物質排出管の長さの少なくとも一部分に沿って並行して延びかつ互いに流体連通した複数のローブと、
（ｂ）前記ローブの１つに収容され、前記ローブ内で自由に回転することができるが、前記ローブの形状によって前記複数のローブの別のローブ内に横移動することが防止される、少なくとも１つの回転自在の装置と、
を含み、
前記回転自在の装置は、ヘリカル装置、パドル形状装置、プロペラ形状装置、およびブラシ状装置から選択される、請求項１〜１８のいずれかに記載の装置。
【請求項２０】
前記装置はさらに、
（ａ）前記排出管の第１ローブ内に位置する第１回転可能装置と、
（ｂ）前記排出管の第２ローブ内に位置する第２回転可能装置と、
（ｃ）前記第１および前記第２回転可能装置を連携して回転させるための機構と、
を含み、
前記第１および前記第２回転可能装置は、ヘリカル装置、パドル形状装置、プロペラ形状装置、およびブラシ状装置の１つである、請求項１９に記載の装置。
【請求項２１】
前記装置はさらに、前記制御器に連結されたメモリを備え、前記メモリは、少なくとも１つの洗浄パラメータを少なくとも１つの他のパラメータと相関させるテーブルを含み、
前記パラメータは、投入／排出流体流量、液体回転速度、洗浄速度、洗浄効率、作動圧力、粉砕要素の回転速度から選択される、請求項１〜２０のいずれかに記載の装置。
【請求項２２】
前記装置は、長さが少なくとも６０ｃｍであり、かつ１５ｃｍ／分の速度で結腸を洗浄することができ、
前記流体投入管は、前記投入管の遠位端で少なくとも０．７リットル／分を結腸内に送達するように構成され、
前記物質排出管は、
（ａ）投入管に流入する排泄物塊を１．０ｍｍ未満のサイズに低減するための機構と、
（ｂ）少なくとも１リットル／分の速度で物質を結腸から体外に除去することのできる移送機構と、
（ｃ）洗浄される結腸部分が少なくとも６０％液体で充満する状態を確立かつ維持するために、投入流量および排出流量を制御するようにプログラムされた制御器と、
を備える、請求項１に記載の装置。
【請求項２３】
肛門管開口から離れた結腸セグメントを洗浄するための装置であって、
（ａ）液体および排泄物を除去することのできる物質排出管であって、前記結腸の外側から前記結腸セグメントまで延びる管と、
（ｂ）加圧ガスと交互に繰り返す加圧液体の交互脈動を供給する肛門管開口内への挿入のために構成された流体流動パルセータであって、前記ガスの圧力が前記液体の圧力より少なくとも０．２気圧高く、かつ前記結腸セグメントへの前記液体の投入速度が少なくとも４００ｃｃ／分であるパルセータと、
を備え、
前記液体の前記圧力は、結腸セグメントの内側の液体と排泄物の混合物の周囲圧力に実質的に等しく、
洗浄される結腸セグメントは、前記液体と排泄物の混合物で少なくとも６０％充填される、装置。